(57)【要約】【課題】  患者からの呼び出しに対して作業を中断することなく応答でき、且つ携帯端末や基地局を使用しないで無線通信を実現するナースコールシステムを提供する。【解決手段】  看護師が頭部に装着し、呼び出しに応答するための通話部を有するヘッドセット５を備え、廊下灯２とヘッドセット５の双方に無線通信部を設けて双方間で無線通信を可能とし、ナースコール親機３にナースコール子機１とヘッドセット５を関係付けた呼出先記憶部を設けると共に、制御機４にナースコール子機１が呼出操作されたらヘッドセット５に呼び出しを通知する通話制御手段を設けた。ナースコール子機１が呼出操作されたら、関係するヘッドセット５が呼び出され、ヘッドセット５には応答するための通話ボタンを設けた。【選択図】  図１
2009071450.tif 000002
【特許請求の範囲】
【請求項１】
患者が看護師を呼び出すためのナースコール子機と、前記ナースコール子機からの呼び出しを表示する廊下灯と、患者から呼び出しに応答するためのナースコール親機と、機器間の通信を制御する制御機とを有するナースコールシステムであって、
看護師が頭部に装着可能であって呼び出しに応答するための通話手段を有したヘッドセットを備えると共に、前記廊下灯と前記ヘッドセットの間で無線通信を実施するための無線通信手段を双方に設け、
前記ナースコール親機或いは前記制御機に、前記ナースコール子機が呼出操作されたら前記ヘッドセットに呼び出しを通知すると共に通話制御を行う通話制御手段を設けたことを特徴とするナースコールシステム。
【請求項２】
前記ヘッドセットは複数備えられて個々にＩＤが設定され、前記ナースコール親機或いは前記制御機は、前記ナースコール子機と前記ヘッドセットとの関係を記憶した呼出先記憶部を有し、
前記通話制御手段は、前記ナースコール子機から呼び出しがなされたら、関係付けられているヘッドセットに呼び出しの通知を行うこと特徴とする請求項１記載のナースコールシステム。
【請求項３】
前記ナースコール親機、前記制御機、前記廊下灯の少なくとも何れかに、個々のナースコール子機と患者の関係を含む患者情報を記憶する患者情報記憶部を設けると共に、前記廊下灯に患者情報を表示する患者情報表示部を設け、
前記ヘッドセットが、患者情報を前記廊下灯に表示させるための情報表示ボタン、及びその表示信号を前記廊下灯に送信する無線送信手段を具備する一方、前記廊下灯は前記表示信号を受信する無線受信手段を有し、
更に前記廊下灯は、呼び出しの通知を受けた前記ヘッドセットから表示信号を受信したら、前記患者情報記憶部から呼出操作した患者の患者情報を読み出して前記患者情報表示部に表示する表示制御手段を備えてなることを特徴とする請求項２記載のナースコールシステム。
【請求項４】
前記ヘッドセットと対を成し、看護師が携行可能な呼出受信機を有すると共に、前記呼出先記憶部には前記呼出受信機ＩＤが前記ヘッドセットＩＤと共に記憶され、
前記呼出受信機は、前記廊下灯と無線通信を行う無線通信手段と、呼び出しの通知を受けたら報知動作する報知手段とを有し、
前記通話制御手段は、前記ナースコール子機から呼び出しがなされたら、関係付けられている前記ヘッドセット及び前記呼出受信機に呼び出しの通知を行うことを特徴とする請求項２又は３に記載のナースコールシステム。
【発明の詳細な説明】
【技術分野】
【０００１】
本発明はナースコールシステムに関し、特にナースコール親機以外でも患者からの呼び出しに対して応答できるナースコールシステムに関する。
【背景技術】
【０００２】
個々の看護師が携帯端末を携行して、ナースステーションに居なくても患者からの呼び出しに応答できるようにしたナースコールシステムが普及している。この場合、ナースコールシステムの制御機に複数の基地局が接続された交換機が接続され、個々の看護師が携行する携帯端末と基地局の間で無線通信を可能とすることで、携帯端末とナースコール子機の間で通信ができ、患者からの呼び出しに対して病室等にいる看護師が応答できるように構成されている（例えば、特許文献１参照）。
【特許文献１】特開２０００−１０７２４０号公報
【発明の開示】
【発明が解決しようとする課題】
【０００３】
しかしながら、看護師が携帯端末を使用して応答する場合は、通常何らかの作業や処置をしている場合であり、携帯端末を取り出す操作、携帯端末を持って耳にあてがう操作が応答する際に必要であるため、そのとき行っていた作業を一時中断しなければならなかった。また、携帯端末を備えるシステムの場合、交換機や多くの基地局が必要でありシステムを構成するためのコストが高くなっていた。
【０００４】
そこで、本発明はこのような問題点に鑑み、患者からの呼び出しに対して作業を中断することなく応答でき、且つ携帯端末や基地局を使用しないで無線通信を実現するナースコールシステムを提供することを目的とする。
【課題を解決するための手段】
【０００５】
上記課題を解決する為に、請求項１の発明は、患者が看護師を呼び出すためのナースコール子機と、ナースコール子機からの呼び出しを表示する廊下灯と、患者から呼び出しに応答するためのナースコール親機と、機器間の通信を制御する制御機とを有するナースコールシステムであって、看護師が頭部に装着可能であって呼び出しに応答するための通話手段を有したヘッドセットを備えると共に、廊下灯とヘッドセットの間で無線通信を実施するための無線通信手段を双方に設け、ナースコール親機或いは制御機に、ナースコール子機が呼出操作されたらヘッドセットに呼び出しを通知すると共に通話制御を行う通話制御手段を設けたことを特徴とする。
この構成によれば、看護師は患者からの呼び出しに対してヘッドセットを使用して応答することができる。従って、看護師は作業を中断することなく呼び出しに応答することが可能となる。また、設備面でも携帯端末や基地局が必要無くなるため、コストをかけずにシステムを構成することが可能となる。
【０００６】
請求項２の発明は、請求項１に記載の発明において、ヘッドセットは複数備えられて個々にＩＤが設定され、ナースコール親機或いは制御機は、ナースコール子機とヘッドセットとの関係を記憶した呼出先記憶部を有し、通話制御手段は、ナースコール子機から呼び出しがなされたら、関係付けられているヘッドセットに呼び出しの通知を行うこと特徴とする。
この構成によれば、患者からの呼び出しに対して、担当看護師のみ呼び出しが通知されるので、呼び出しの通知を受けた看護師は自身への呼び出しであることを認識でき、速やかな応答を行いやすい。
【０００７】
請求項３の発明は、請求項２に記載の発明において、ナースコール親機、制御機、廊下灯の少なくとも何れかに、個々のナースコール子機と患者の関係を含む患者情報を記憶する患者情報記憶部を設けると共に、廊下灯に患者情報を表示する患者情報表示部を設け、ヘッドセットが、患者情報を廊下灯に表示させるための情報表示ボタン、及びその表示信号を廊下灯に送信する無線送信手段を具備する一方、廊下灯は表示信号を受信する無線受信手段を有し、更に廊下灯は、呼び出しの通知を受けたヘッドセットから表示信号を受信したら、患者情報記憶部から呼出操作した患者の患者情報を読み出して患者情報表示部に表示する表示制御手段を備えてなることを特徴とする。
この構成によれば、通話中の患者の患者情報が廊下灯に表示されるので、看護師はその情報を見て確認でき、スムーズな対応、間違いのない処置を行うことができる。
【０００８】
請求項４の発明は、請求項２又は３に記載の発明において、ヘッドセットと対を成し、看護師が携行可能な呼出受信機を有すると共に、呼出先記憶部には呼出受信機ＩＤがヘッドセットＩＤと共に記憶され、呼出受信機は、廊下灯と無線通信を行う無線通信手段と、呼び出しの通知を受けたら報知動作する報知手段とを有し、通話制御手段は、ナースコール子機から呼び出しがなされたら、関係付けられているヘッドセット及び呼出受信機に呼び出しの通知を行うことを特徴とする。
この構成によれば、看護師がヘッドセットを外していても患者からの呼び出しを認識でき、応答がおろそかになることがない。
【発明の効果】
【０００９】
本発明によれば、看護師は患者からの呼び出しに対してヘッドセットを使用して応答することができる。従って、応答する為の機器を手に持つ必要が無く、看護師は作業を中断することなく呼び出しに応答することが可能となる。また、設備面でも携帯端末や基地局が必要無くなるためコストをかけずに構成することが可能となる。
【発明を実施するための最良の形態】
【００１０】
以下、本発明を具体化した実施の形態を、図面に基づいて詳細に説明する。図１は本発明に係るナースコールシステムの実施形態の一例を示す構成図であり、１は患者が看護師を呼び出すためにベッド毎に設置されたナースコール子機、２はナースコール子機１による呼び出しを病室入り口付近で表示する廊下灯、３は患者から呼び出しに応答するためにナースステーションに設置されたナースコール親機、４は機器間の通信を制御する制御機、５は看護師等が呼び出しに応答するために頭部に装着するヘッドセット、６は看護師が携行して患者からの呼び出しを通知する呼出受信機である。
【００１１】
ナースコール子機１は病室毎に廊下灯２に伝送線Ｌ１を介して接続され、廊下灯２は伝送線Ｌ２を介して制御機４に接続されている。また、ナースコール親機３は、伝送線Ｌ３を介して制御機４に接続されている。
【００１２】
ナースコール子機１は図２の回路ブロック図に示すように構成され、患者が看護師を呼び出す時に押す呼出ボタン１０、マイク及びスピーカを備えた通話部１１、廊下灯２と通信するための子機インターフェース（子機ＩＦ）１２、ナースコール子機１を制御する子機ＣＰＵ１３を備えている。
【００１３】
廊下灯２は図３の回路ブロック図に示すように構成され、患者情報を表示するモニタ１６、ヘッドセット５から送信される赤外線信号を受信する赤外線受信部１７、ヘッドセット５と無線通信する無線通信部１８、ナースコール子機１と通信するための廊下灯第１インターフェース（廊下灯第１ＩＦ）１９、制御機４と通信するための廊下灯第２インターフェース（廊下灯第２ＩＦ）２０、自身のＩＤ等を記憶する廊下灯メモリ２１、これら全てを制御する廊下灯ＣＰＵ２２を備えている。
【００１４】
ナースコール親機３は図４の回路ブロック図に示すように構成され、制御機４と通信するための親機インターフェース（親機ＩＦ）２５、呼び出しを受けた患者の情報などを表示するＬＣＤ２６、ＬＣＤ２６を制御するＬＣＤコントローラ２７、患者情報を記憶する患者情報記憶部２８、マイク及びスピーカを有する通話部２９、これら全ての回路を制御する親機ＣＰＵ３０を備えている。尚、患者情報記憶部２８には、患者の医療情報や担当看護師・担当医師情報等の患者情報に加えて、ナースコール子機１のＩＤ情報、ヘッドセットのＩＤ情報、呼出受信機６のＩＤ情報は、個々の患者に関係付けられて記憶されている。
【００１５】
制御機４は図５の回路ブロック図に示すように構成され、ナースコール親機３と通信するための制御機第１インターフェース（制御機第１ＩＦ）３１、廊下灯２と通信するための制御機第２インターフェース（制御機第２ＩＦ）３２、これら全てを制御する制御機ＣＰＵ３３を備えている。
【００１６】
ヘッドセット５は図６の回路ブロック図に示すように構成され、患者と通話するためのマイク及びスピーカを備えた通話部３４、廊下灯２へ赤外線信号を送信する赤外線送信部３５、廊下灯２と無線通信する無線通信部３６、患者からの呼び出しに応答する通話ボタン３７、呼び出しをした患者の情報を表示するための情報表示ボタン３８、自身のＩＤ等を記憶するヘッドセットメモリ３９、これら全てを制御するヘッドセットＣＰＵ４０を備えている。
【００１７】
呼出受信機６は図７の回路ブロック図に示すよう構成され、自身のＩＤ等を記憶する呼出受信機メモリ４１、呼び出されている事を通知するＬＥＤ４２、廊下灯２と無線通信する無線通信部４３、これら全てを制御する呼出受信機ＣＰＵ４４を備えている。
【００１８】
次に、上記構成のナースコールシステムの呼び出し及び応答動作を説明する。病床にいる患者が看護師を呼び出すためにナースコール子機１の呼出ボタン１０を押すと、子機ＣＰＵ１３の制御により呼出コマンドが出力される。この呼出コマンドは、子機ＩＦ１２、伝送路Ｌ１を介して廊下灯２へ伝送される。廊下灯２は、廊下灯第１ＩＦ１９を介して廊下灯ＣＰＵ２２が呼出コマンドを受信したら、ナースコール子機１のＩＤ情報に加えて廊下灯メモリ２１に記憶されている廊下灯ＩＤを付加して廊下灯第２ＩＦ２０から伝送線Ｌ２を介して制御機４へ伝送する。
こうして、制御機第２ＩＦ３２から呼出コマンドを受信した制御機４は、制御機ＣＰＵ３３の制御により、制御機第１ＩＦ３１、伝送線Ｌ３を介してナースコール親機３へ伝送される。
【００１９】
ナースコール親機３は、親機ＣＰＵ３０の制御により、呼出コマンドを受けてその中に含まれるナースコール子機１のＩＤ情報を基に、患者情報記憶部２８から呼出操作した患者を特定し、ＬＣＤコントローラ２７を介してＬＣＤ２６に呼出操作した患者情報を表示させる。そして、通話部２９のスピーカから呼出音を鳴動させる。
更に親機ＣＰＵ３０は、その患者の担当看護師を患者情報記憶部２８から特定すると共に、担当看護師が持つヘッドセット５のＩＤ、及び呼出受信機６のＩＤを更に特定し、その特定したヘッドセット５、及び呼出受信機６のＩＤ情報を制御機４へ伝送する。
【００２０】
ヘッドセット５のＩＤ情報、及び呼出受信機６のＩＤ情報を受信した制御機４は、制御機ＣＰＵ３３の制御より、全ての廊下灯２，２・・に対して特定したＩＤ情報を含むヘッドセット呼出コマンド及び呼出受信機通知コマンドを伝送する。廊下灯２は、このヘッドセット呼出コマンド及び呼出受信機通知コマンドを受信したら、廊下灯ＣＰＵ２２の制御により、無線通信部１８からヘッドセット５に対してヘッドセット呼出信号を送信すると共に、呼出受信機６に対して呼出受信機通知コマンドを送信する。
但し、呼出動作しているナースコール親機３において応答操作されたら、その時点でヘッドセット呼出コマンド、及び呼出受信機通知コマンドの送信は停止される。以下、ヘッドセット５により応答する場合を説明する。
【００２１】
こうして廊下灯２から送信されたヘッドセット呼出信号が、ヘッドセット５の無線通信部３６で受信されると、ヘッドセットＣＰＵ４０は、ヘッドセットメモリ３９にあるＩＤ情報と受信したヘッドセット呼出信号に付加されてきたＩＤ情報とを比較して、同一であれば通話部３４のスピーカから呼出音を報音させる。この鳴動により、ヘッドセット５を装着している看護師は患者からの呼び出しを認識でき、通話ボタン３７を操作することで無線通信部３６から応答コマンドが近くの廊下灯２に送信される。
【００２２】
一方、呼出受信機通知コマンドを無線通信部４３で受信した呼出受信機６は、呼出受信機ＣＰＵ４４の制御により、コマンドに付加されたＩＤ情報と呼出受信機メモリ４１に記憶されたＩＤを比較して、同一であったらＬＥＤ４２を点滅させて呼び出しが成されていることを通知（報知）する。この動作でヘッドセット５を外している看護師に対し呼び出しが成されていることの通知が成される。尚、呼出受信機６の呼出通知動作は、ブザー音等で報知させても良いし、振動により通知させても良い。
【００２３】
ヘッドセット５からの応答コマンドを無線通信部１８で受信した廊下灯ＣＰＵ２２は、呼出応答コマンドを制御機４に送信する。呼出応答コマンドを受信した制御機ＣＰＵ３３は、呼出操作されたナースコール子機１が接続された廊下灯（一方の廊下灯）２と、ヘッドセット５からの応答コマンドを受信した廊下灯（他方の廊下灯）２の双方に対し通話コマンドを伝送して通話路を形成する。
【００２４】
この通話コマンドを受けた一方の廊下灯２は、更にナースコール子機１に対して通話コマンドを伝送し、子機ＣＰＵ１３が通話部１１を制御してスピーカ及びマイクを能動として通話が可能となる。そして、この通話コマンドを受けた他方の廊下灯２は、ヘッドセット５に対して通話コマンドを送信し、通話コマンドを受信したヘッドセットＣＰＵ４０は、通話部３４を制御してスピーカ及びマイクを能動とする。こうして、制御機４を介してナースコール子機１とヘッドセット５の間で通話が可能となる。
【００２５】
また、ＩＤ情報が一致してヘッドセット５にて呼出音が報音された段階以降であれば、以下の動作を実施できる。看護師が廊下灯２に近づいてヘッドセット５にある情報表示ボタン３８を押すと、ヘッドセットＣＰＵ４０は、ヘッドセットのＩＤを含む表示コマンドを赤外線送信部３５から廊下灯２に送信する。
【００２６】
この表示コマンドを赤外線受信部１７で受信した廊下灯２は、廊下灯ＣＰＵ２２の制御で、制御機４に対してヘッドセットのＩＤ情報と共に検索要求コマンドを送信する。この検索要求コマンドを受信した制御機ＣＰＵ３３は、現在呼出中或いは通話中の情報から呼出元の患者を特定してその患者情報をナースコール親機３の患者情報記憶部２８から読み取り、廊下灯２の廊下灯ＣＰＵ２２にその情報を検索応答コマンドとして送信する。廊下灯ＣＰＵ２２は、通索応答コマンドを受信すると、モニタ１６に呼出元の患者情報の表示を行う。
【００２７】
このように、看護師は患者からの呼び出しに対してヘッドセットを使用して応答することができるので、作業を中断することなく呼び出しに応答することが可能となる。また、設備面でも携帯端末や基地局が必要無くなるため、コストをかけずにシステムを構成することが可能となる。
また、患者からの呼び出しに対して、担当看護師のみ呼び出しが通知されるので、呼び出しの通知を受けた看護師は自身への呼び出しであることを認識でき、速やかな応答を行いやすい。
更に、呼出中或いは通話中の患者の患者情報を廊下灯に表示させることができるので、看護師はその情報を見て確認することで、スムーズな対応、間違いのない処置を行うことができるし、呼出受信機により看護師がヘッドセットを外していても患者からの呼び出しを看護師に認識させることができるので、応答がおろそかになることがない。
【００２８】
尚、上記実施形態では、ナースコール親機３のみに患者情報記憶部２８を設けて、廊下灯２に患者情報を表示する際に、ナースコール親機３を参照して表示しているが、同様の患者情報記憶部を個々の廊下灯２に設けても良いし、ナースコール親機３ではなく制御機４に設けても良い。
また、制御機４がナースコール子機１とヘッドセット５との通話を制御しているが、この通話制御手段はナースコール親機に設けても良い。
【図面の簡単な説明】
【００２９】
【図１】本発明に係るインターホンシステムの実施形態の一例を示す構成図である。
【図２】ナースコール子機の回路ブロック図である。
【図３】廊下灯の回路ブロック図である。
【図４】ナースコール親機の回路ブロック図である。
【図５】制御機の回路ブロック図である。
【図６】ヘッドセットの回路ブロック図である。
【図７】呼出受信機の回路ブロック図である。
【符号の説明】
【００３０】
１・・ナースコール子機、２・・廊下灯、３・・ナースコール親機、４・・制御機、５・・ヘッドセット、６・・呼出受信機、１３・・子機ＣＰＵ、１６・・モニタ（患者情報表示部）、１７・・赤外線受信部（無線受信手段）、１８・・無線通信部（無線通信手段）、２１・・廊下灯メモリ、２２・・廊下灯ＣＰＵ（表示制御手段）、２８・・患者情報記憶部（呼出先記憶部）、３０・・親機ＣＰＵ、３３・・制御機ＣＰＵ（通話制御手段）、３４・・通話部、３５・・赤外線送信部（無線送信手段）、３６・・無線通信部（無線通信手段）、３７・・通話ボタン、３８・・情報表示ボタン、４０・・ヘッドセットＣＰＵ、４２・・ＬＥＤ（通知手段）、４３・・無線通信部（無線通信手段）、４４・・呼出受信機ＣＰＵ。
【図１】
2009071450.tif 000003
【図２】
2009071450.tif 000004
【図３】
2009071450.tif 000005
【図４】
2009071450.tif 000006
【図５】
2009071450.tif 000007
【図６】
2009071450.tif 000008
【図７】
2009071450.tif 000009